(57)【特許請求の範囲】
【請求項１】
先端部に竿受部が設けられ基端部には水平方向に両側に突設された軸部を有するアーム部材と、建築物に取り付けられ上記アーム部材を回動自在に保持したベース部材とから成り、
上記ベース部材には、上記建築物に固定される取付部と、上記取付部から突出し互いに所定間隔を空けて対面した一対の支持部と、上記取付部に形成され上記一対の支持部間と連通して上記取付部を貫通した貫通部とが設けられ、
上記一対の支持部には、上記アーム部材の取付状態で上記軸部に対向する内側の側面に、上記支持部の突出方向端部が閉じた溝であって、上記貫通部から挿入された上記軸部を移動可能に保持するガイド溝が形成され、
前記ガイド溝は、上記アーム部の上記竿受部及び上記軸部を、上記貫通部から挿入自在に形成されているとともに、上記軸部をその突出方向に対して直角な面上で移動自在に収容し、上記支持部の突出方向先端側及び下方で上記軸部を軸支した軸受け部が設けられ、
上記ベース部材に対する上記アーム部材の回転を止める係止手段が、上記支持部に設けられ、
上記係止手段は、上記アーム部材に形成され上記ベース部材側へ向かって突出する係合部と、上記ベース部材に形成され上記アーム部材の自重により上記軸部を中心として上記アーム部材を回転させる力に抗して上記係合部が当接する被係合部とから成り、
上記アーム部材は、上記取付部から上記支持部側へ上記竿受部の先端部を上記貫通部に挿通して、上記竿受部が上記ベース部材を貫通し、上記軸部が上記軸受け部に軸支され、
上記軸受け部は、上記ガイド溝内壁面の先端側下方に位置し上記係合部と被係合部とが係合可能な位置に上記軸部を軸支する第一軸受け部と、上記ガイド溝内壁面の先端側上方に設けられ、上記係合部と被係合部との係合が解除され上記アーム部材が上記ベース部材に対して回転可能となる位置で上記軸部を軸支する第二軸受け部とから成ることを特徴とする物干装置。
【請求項２】
上記係合部は等間隔に複数個設けられ、上記アーム部材の角度を変えて係止可能としたことを特徴とする請求項１記載の物干装置。
【発明の詳細な説明】
【０００１】
【発明の属する技術分野】
この発明は、建物の壁面やベランダの手摺等に取り付け、物干し竿を掛け渡して使用する物干装置に関する。
【０００２】
【従来の技術】
従来、建物のベランダ等に固定された物干装置として、建築物に取り付けられたベース部材に、アーム部材を垂直面内で回動可能に取り付け、アーム部材を水平状態あるいは斜め上状態や斜め下状態で固定して使用し、不使用時には鉛直下方に回動して収納することができる物干装置があった。
【０００３】
例えば、実公平６−２５２７９号公報に開示されている物干竿係止具は、竿受部を有する腕部材と、この腕部材を支持する支持体が設けられている。そして支持体には、腕部材の基部に沿って伸びこの基部の箇所で腕部材を回動可能に支持する支持部が設けられている。そして腕部材の基部の後縁部が複数の辺からなる多角形に形成されていると共に、腕部材の基部を貫通する軸体が支持体の支持部に設けられた縦長穴で軸止されている。一方、支持体の本体部には、腕部材の多角形を構成する辺のうち上記縦長穴と平行に位置する辺に当接して腕部材を支える段部と、腕部材を回動する際に多角形の角部とぶつからないように段部より引っ込んでいる低部が設けられている。
【０００４】
この物干し竿係止具の腕部材の取付角度を変えるには、段部と当接している辺が支持体の低部に対面するまで腕部材をそのまま縦長穴に沿って上方に持ち上げた後、多角形の別の辺が段部表面と同一面上に位置するように、軸体を中心に腕部材を回動する。その後、腕部材をそのまま元の位置に平行移動させて、その別の辺を段部と当接させる。これにより腕部材を複数の異なる角度の位置に位置決めすることができる。
【０００５】
【発明が解決しようとする課題】
上記従来の技術の場合、縦方向に形成された段部に腕部材の一つの辺が当接して係止されているだけなので、不安定であり確実な係合が得られないおそれがあった。また、保持部の縦長穴の下端部に軸体が位置して係合状態となるが、軸体が保持部の縦長穴の所定位置から移動すると、係合が外れやすい状態となり、安全性に問題があった。
【０００６】
この発明は、上記従来の技術の問題点に鑑みてなされたものであり、簡単な構造で、容易にアームの角度を変えることができ、確実に物干竿を保持することができる物干装置を提供することを目的とする。
【０００７】
【課題を解決するための手段】
この発明は、先端部に竿受部が設けられ基端部には水平方向に両側に突設された軸部を有するアーム部材と、建築物に取り付けられ上記アーム部材を回動自在に保持したベース部材とから成り、上記ベース部材には、上記建築物に固定される取付部と、上記取付部から突出し互いに所定間隔を空けて対面した一対の支持部と、上記取付部に形成され上記一対の支持部間と連通して上記取付部を貫通した貫通部とが設けられ、上記一対の支持部には、上記アーム部材の取付状態で上記軸部に対向する内側の側面に、上記支持部の突出方向端部が閉じた溝であって、上記貫通部から挿入された上記軸部を移動可能に保持するガイド溝が形成され、前記ガイド溝は、上記アーム部の上記竿受部及び上記軸部を、上記貫通部から挿入自在に形成されているとともに、上記軸部をその突出方向に対して直角な面上で移動自在に収容し、上記支持部の突出方向先端側及び下方で上記軸部を軸支した軸受け部が設けられ、上記ベース部材に対する上記アーム部材の回転を止める係止手段が、上記支持部に設けられ、上記係止手段は、上記アーム部材に形成され上記ベース部材側へ向かって突出する係合部と、上記ベース部材に形成され上記アーム部材の自重により上記軸部を中心として上記アーム部材を回転させる力に抗して上記係合部が当接する被係合部とから成り、上記アーム部材は、上記取付部から上記支持部側へ上記竿受部の先端部を上記貫通部に挿通して、上記竿受部が上記ベース部材を貫通し、上記軸部が上記軸受け部に軸支され、上記軸受け部は、上記ガイド溝内壁面の先端側下方に位置し上記係合部と被係合部とが係合可能な位置に上記軸部を軸支する第一軸受け部と、上記ガイド溝内壁面の先端側上方に設けられ、上記係合部と被係合部との係合が解除され上記アーム部材が上記ベース部材に対して回転可能となる位置で上記軸部を軸支する第二軸受け部とから成る物干装置である。
【０００８】
上記ガイド溝は、上記軸部が移動可能なほぼ長四角状の幅広に形成され、上記ガイド溝に上記軸受け部が形成されている。
【０００９】
上記係合部は、等間隔に複数個設けられ、上記アーム部材の角度を変えて係止可能に設けられている。
【００１０】
この発明の物干装置は、上記アーム部材の軸部が、上記ベース部材のガイド溝の第一軸受け部に位置するとき、上記軸部は上記第一軸受け部で軸支され、上記アーム部材の係合部の係止面は上記ベース部材の被係合部に係合し、アーム部材の重みで力がかかる。ここれにより、上記アーム部材は上記ベース部材に係止され、上記軸部は上記軸受け部に位置決めされているため、係止が不用意に解除されることがない。
【００１１】
そして、上記アーム部材の角度を上側に変更するときは、上記アーム部材を上げる方へ力を加え上記軸部を中心に回転させることができる。すると、上記アーム部材の次の係合部の外周の当接面が上記被係合部に押されて、上記アーム部材が斜め上方に移動し、上記係合部の頂部が上記被係合部を越えると上記アーム部材は元の位置に戻り再び係止される。
【００１２】
また、上記アーム部材の角度を下側に変更するときは、上記アーム部材を斜め上方に引き上げ、上記アーム部材の軸部をガイド溝の第二軸受け部に嵌合させる。このとき上記アーム部材の係合部は上記被係合部から離間し、自由に回転可能となる。そして、上記アーム部材を、上記軸部を中心に下向きに回転させ、任意の位置で力を解除する。すると、上記アーム部材の軸部は上記アーム部材の自重により上記ベース部材のガイド溝の第一軸受け部に戻り、上記アーム部材の次の係合部が上記被係合部に当接し、係止される。
【００１３】
【発明の実施の形態】
以下、この発明の実施形態について図面に基づいて説明する。図１〜図６は、この発明の一実施形態を示すもので、この実施形態の物干装置１０には、建築物１２に取り付けられるベース部材１４が設けられている。ベース部材１４はアルミニウムまたはその合金で一体に鋳造され、建築物１２に当接する細長い板状の取付部１６が設けられている。取付部１６の両端部付近に各々ボルトを挿通して建築物１２に固定するための透孔１８が形成されている。また、取付部１６の中央には、矩形の貫通部１７が形成されている。取付部１６の、長手方向に対して平行な一対の両側縁部には、取付部１６に対してほぼ直角に建築物１２側とは反対方向へ突出する一対の支持部２０が形成されている。支持部２０は互いにほぼ並行に対面して位置し、ほぼ半円の板状に形成されている。
【００１４】
支持部２０の互いに対向する内側の側面２０ａには、一定深さにくぼんだ同じ形のガイド溝２２が対向して形成されている。ガイド溝２２の形状は、取付部１６の貫通部１７に連通し長手方向が取付部１６に対してほぼ直角に位置するほぼ長四角状に形成され、ガイド溝２２の長手方向の先端部２２ａは支持部２０の中心部を越えて先端寄りに達している。ガイド溝２２の先端２２ａの、図１において下側の角部には、角が丸められて湾曲した第一軸受け部２４が形成されている。また、ガイド溝２２の先端２２ａの、図１において上側の角部には、長手方向外側に向かって半円状にくぼんだ第二軸受け部２６が形成されている。
【００１５】
そして一対の支持部２０の、ガイド溝２２の下側には、取付部１６寄りの部分に、互いに連通する一対の透孔２８が貫通して形成され、透孔２８には後述するアーム部材３２の係合部である爪部４２が係止される被係合部であるピン３０が挿通されて設けられている。
【００１６】
そして一対の支持部２０の間には、アーム部材３２が差し込まれて取り付けられている。アーム部材３２はアルミニウムまたはその合金で一体に鋳造され、長尺の板状体であり、アーム部材３２の内側には長手方向に沿って薄肉部３４が形成され、薄肉部３４には長手方向に沿って等間隔に円形の透孔である竿受部３６が５個形成されている。
【００１７】
アーム部材３２のベース部材１４側の基端部は、半円に形成され、その内側が円形の取付部３８となっている。取付部３８の中心には、両側方へ突出する短い円柱状の軸部４０が各々形成されている。そして取付部３８の周縁部には、後述するピン３０に係止される係合部である三角状の爪部４２，４４，４６が等間隔に側方に突出して設けられている。爪部４２には、一番突出している頂部４２ａが設けられ、頂部４２ａの、図１において時計回り方向に連続して係止面４２ｂが設けられている。係止面４２ｂは、取付部３８の半径方向に対してほぼ並行に形成された平面である。そして、頂部４２ａの係止面４２ｂと反対側に連続して当接面４２ｃが設けられ、当接面４２ｃは頂部４２ａから離れるに従い外側に湾曲しながら徐々に突出量が少なくなる曲面である。爪部４４，４６にも同様に、各々頂部４４ａ，４６ａ、係止面４４ｂ，４６ｂ、当接面４４ｃ，４６ｃが設けられている。
【００１８】
次に、物干装置１０の組立方法について説明する。まず、ベース部材１４の貫通部１７からアーム部材３２を竿受部３６側から差込み、一対の支持部２０の、ガイド溝２２の内側に、アーム部材３２の軸部４０を差し込む。一対の軸部４０の、先端同士の間の距離は、一対のガイド溝２２の、互いに対面する面同士の間の距離よりもわずかに短く形成されているため、アーム部材３２の軸部４０はガイド溝２２から外れることなくガイド溝の内側を自由に移動する。そして、支持部２０の透孔２８に、ピン３０を挿通し固定する。
【００１９】
そしてベース部材１４を建築物１２、例えばマンションの壁面やベランダの手摺等に、ベース部材１４とアーム部材３２を一組として取り付ける。取付方法は、建築物１２にベース部材１４の取付部１６を当接させ、取付部１６の透孔１８にコンクリート用のボルトを差し込み固定する。このときベース部材１４は、図１に示すように、アーム部材３２の各爪部４２，４４，４６の、係止面４２ｂ，４４ｂ，４６ｂが、アーム部材３２の重みを受けて軸部４０を中心に回転しようとする方向を向くように取り付ける。そして、アーム部材３２の爪部４２，４４，４６のいずれかを、ベース部材１４のピン３０の下に位置させ係止面４２ｂ，４４ｂ，４６ｂのいずれかをピン３０に当接させる。爪部４２，４４，４６のいずれをピン３０に当接させるかで、アーム部材３２の角度が異なる。そして一対のアーム部材３２の、竿受部３６に各々竿を掛け渡す。このとき、竿や洗濯物の重みでアーム部材３２に下向きの力がかかる。そして、アーム部材３２の軸部４０からベース部材１４のガイド溝２２の第一軸受け部２４に、下へ向かって力がかかり、またアーム部材３２の爪部４２，４４，４６の何れかの係止面４２ｂ，４４ｂ，４６ｂからピン３０に、上方向に向かって力がかかる。この二つの力でアーム部材３２はベース部材１４に確実に係止される。軸部４０は第一軸受け部２４に位置決めされているため、係止が不用意に解除されることがなく、確実に保持される。
【００２０】
次に、この実施形態の物干装置１０の、アーム部材３２の角度を変える操作について説明する。例えば、図１に示すようにアーム部材３２の爪部４４がピン３０に当接し、アーム部材３２の長手方向がほぼ水平に保持されているとき、アーム部材３２の角度を斜め上に向く方向に変更する場合について説明する。まず、アーム部材３２を上方に上げるように力を加えると、アーム部材３２は、軸部４０がガイド溝２２の第一軸受け部２４の内側に当接しながら、軸部４０を中心に反時計回りに回転する。そして爪部４４はピン３０から離れ、図３に示すように、次の爪部４２の当接面４２ｃがピン３０に当接する。さらに回転させると爪部４２の当接面４２ｃに押し上げられてアーム部材３２が斜め上方に押し上げられ、軸部４０がガイド溝２２の第一軸受け部２４から離れ上方へ移動する。さらにアーム部材３２を持ち上げていくと、爪部４２の頂部４２ａがピン３０を通過し、軸部４０は第一軸受け部２４の位置に戻る。そしてアーム部材３２を持ち上げる力を解除し、爪部４２の係止面４２ｂがピン３０に下側から当接し、アーム部材３２は斜め上を向く方向で保持される。
【００２１】
なお、アーム部材３２の爪部４６がピン３０に当接し、アーム部材３２が斜め下を向いて保持されているとき、アーム部材３２の角度を水平方向に変更する場合も、同様の操作で行う。
【００２２】
また、図１の二点鎖線で示すようにアーム部材３２の爪部４２がピン３０に当接し、アーム部材３２が斜め上に向かって保持されているとき、アーム部材３２の角度を水平方向に変更する場合について説明する。まず、アーム部材３２を一旦斜め上方に引き揚げ、図４に示すようにアーム部材３２の軸部４０をガイド溝２２の第二軸受け部２６に嵌合させる。このときアーム部材３２の爪部４２はピン３０から離間し、アーム部材３２は自由に回転可能となる。そして、アーム部材３２を、軸部４０を中心に下向きに回転させて爪部４２が、ピン３０近傍を通過したところでアーム３２を持ち上げる力を解除する。すると軸部４０が元の位置に戻り、爪部４４の係止面４４ｂがピン３に下側から当接し、アーム部材３２はほぼ水平方向に保持される。
【００２３】
なお、アーム部材３２の爪部４４がピン３０に当接し、アーム部材３２が水平方向に保持されているとき、アーム部材３２の角度を斜め下方に変更する場合も、同様の操作で行う。
【００２４】
アーム部材３２の角度を変える操作は、一対のアーム部材３２に竿を掛け渡した状態で、竿を上に引きあげたり、降ろしたりすることで、一対のアーム部材３２の各ベース部材１４に対する係合や係合解除、位置の変更を同時に行うことができる。
【００２５】
この実施形態の物干装置１０によれば、簡単な構造で確実に竿や洗濯物を保持することができる。アーム部材３２に竿や洗濯物の重みで下に向かって力が加えられ、アーム部材３２の軸部４０がベース部材１４の第一軸受け部２４に上側から当接し、さらにアーム部材３２の爪部４２がベース部材１４のピン３０に下側から当接し、この二つの力でアーム部材３２は強固に確実にベース部材１４に係止される。また、アーム部材３２の角度を変更するときは、アーム部材３２をベース部材１４から斜め上方に持ち上げるだけの簡単な操作により、アーム部材３２とベース部材１４との係合を解除し、任意の方向へ手動で回転させて行うことができ、操作性がよい。特に、アーム部材３２の角度を上方に変更するときは、アーム部材３２を上方に回転させるだけの簡単な操作で行うことができる。そして一対のアーム部材３２に竿を渡した状態で、竿を持ち上げたり降ろしたりすることにより一対のアーム部材３２の係合を同時に解除し角度の変更を行うことができ、洗濯したものを干したままで、日光の角度や天候に合わせてアーム部材３２の角度を調整することができる。
【００２６】
なお、この発明の物干装置は上記実施の形態に限定されるものではなく、ベース部材の取付位置や取付箇所も壁以外に天井部分や支柱等適宜選択可能である。さらにベース部材とアーム部材の形状、または取付角度、爪部の数や形状等、自由に変更可能である。
【００２７】
【発明の効果】
この発明の物干装置は、簡単な構造で確実に竿や洗濯物を保持し、また簡単な操作でアーム部材の角度を変えることができる。また一対のアーム部材に竿を渡した状態で、竿を移動させることによりアーム部材の係合と解除、角度の変更を同時に行うことが可能であり、洗濯したものを干したままで、日光の角度や天候に合わせてアーム部材の角度を調整することができる。
【図面の簡単な説明】
【図１】  この発明の一実施形態の物干装置の正面図である。
【図２】  この実施形態の物干装置の平面図である。
【図３】  この実施形態の物干装置のアーム部材の角度を上方に変更する状態を示す縦断面図である。
【図４】  この実施形態の物干装置のアーム部材の角度を下方に変更する状態を示す縦断面図である。
【図５】  この実施形態の物干装置のベース部材の横断面図である。
【図６】  この実施形態の物干装置の使用状態を示す正面図である。
【符号の説明】
１０  物干装置
１４  ベース部材
１６  取付部
１８，２８  透孔
２０  支持部
２２  ガイド溝
２４  第一軸受け部
２６  第二軸受け部
３０  ピン
３２  アーム部材
３６  竿受部
３８  取付部
４０  軸部
４２，４４，４６  爪部
【図１】
0004805498.tif 000002
【図２】
0004805498.tif 000003
【図３】
0004805498.tif 000004
【図４】
0004805498.tif 000005
【図５】
0004805498.tif 000006
【図６】
0004805498.tif 000007